(57)【要約】  本発明は、天然木材から薄い板を作り、天然木材板が木目方向に沿って分割されないように外側面に脱着型両面粘着テープを貼り付けて、安定化させた後、表面に微細孔や凹凸溝でなる結合面を形成し、熱可塑性合成樹脂と結合させる手段を通じて、天然木材板が形成しようとする物品の表面側に付着できるようにすることを特徴とする天然木材板が表面に形成される合成樹脂製物品の製造方法を開示する。【選択図】図３
2010521338.tif 000002
【特許請求の範囲】
【請求項１】
天然木材から薄い板を作り、天然木材板が木目方向に沿って分割されたり破損されたりしないように外側面に脱着型両面粘着テープを貼り付けて安定化させた後、前記薄い板の表面に微細孔や凹凸溝を形成して結合面を成し、熱可塑性合成樹脂を木材板に結合させて一体化させ、天然木材板が得られる物品の表面に付着されるようにすることを特徴とする天然木材板が表面に形成される合成樹脂製物品の製造方法。
【請求項２】
松、ヤナギ、桐、チーク、バラ木のように年輸の紋様が美しい木材中で選択した天然木材を厚さ０．２〜１．０ｍｍに薄くして、綿密な組織の年輪の部分１ａと軟かい組織の年輪の部分１ｂが紋様を形成する薄い木材板１を、一定の規格に切断し、その薄い木材板が木目方向に沿って分割されたり破損されたりすることを防止することができるようにシリコン粘着剤および耐熱性粘着剤で造成された耐熱性脱着型両面粘着テープ２を上記切断した薄い木材板１の外面側に貼りつけてその薄い木材板を安定化させる薄い木材板準備段階と、
安定化させた薄い木材板を針状突起３ａが複数形成された穿孔機３に、または突起部３０ａのある圧着ローラ３０に接触させて、木質を軟化させながら微細孔１ｃや凹凸溝１ｄを形成する結合面形成段階と、
上記木材板の結合面に合成樹脂を結合させて一体化する結合段階と、
木材板に合成樹脂が結合された後、上記木材板の外側面に付着された両面粘着テープ２を剥がして加工する段階を包含する天然木材板が表面に形成される合成樹脂製物品の製造方法。
【請求項３】
第２項において、
木材板に合成樹脂を結合させるため、射出成型用金型４の成型空間４ａ内に木材板を取り付けて射出を施し、金型４内で成型される物品の表面に木材板の結合面が付着固定されるようにする方法であって、木材板と合成樹脂を結合させて、木材板が合成樹脂に結合されるようにした天然木材板が表面に形成される合成樹脂製物品の製造方法。
【請求項４】
第２項において、
木材板に合成樹脂を結合させるため、一定温度を維持する処理部５のコンベヤーベルト５０の上に木材板を取り付けて、木材板結合面に熱可塑性合成樹脂溶融液を圧出塗布し、圧着ローラ５１と加熱器５２を通じて、木材板の結合面に合成樹脂を結合させて、これを加熱圧搾成型機４１で加圧して成型された物品の表面側に木材板が付着されるようにする天然木材板が表面に形成される合成樹脂製物品の製造方法。
【請求項５】
第２項において、
木材板に合成樹脂を結合させるため、木材板の結合面上に熱可塑性合成樹脂フィルム７ａを積層し、高周波接着機５'を作動させて、木材板の結合面に熱可塑性合成樹脂フィルム７ａが結合されるようにし、成型された物品の表面側に木材板が結合されるようにする天然木材板が表面に形成されるようにする合成樹脂製物晶の製造方法。
【請求項６】
天然木材板が表面側に付着するようにした物品Ａを特定の射出金型内に設置し、物品の内面と周囲に沿って結合手段Ｂ'が形成されるように２次成型Ｂすることを特徴とする天然木材板が表面に形成されるようにする合成樹脂製物品の製造方法。
【発明の詳細な説明】
【技術分野】
【０００１】
本発明は、天然木材から薄い板を作り、天然木材板が木目方向に沿って分割されたり破損されたりしないように外側面に脱着型両面粘着テープを貼り付けて安定化させた後、表面に微細孔や凹凸溝を形成して結合部を成し、熱可塑性合成樹脂と結合させる段階を通じ、物品の表面に天然木材板を取り付けて一体化させ、天然木材板が表面に形成される合成樹脂製物品の製造方法に関する。
【背景技術】
【０００２】
従来の天然木材製品は、天然木材から板材を作り、接着剤と締結具を使用して物品のケースや筐体を作ったり、天然木材を削り整えて、所定形状の物品に製造したりすることが普遍化されているが、木材板を薄く作り、合成樹脂製品の表面に結合させる方法で物を作る方法がなかったので、携帯電話、ＭＰ３、録音機、ラジオ、時計、筆記具のような合成樹脂製携帯品のケースに天然木材板を付着させることができない不便があり、また天然木材の紋様と質感を出すため、製品の表面に経木を接着させるものがあったが、これは曲面部に経木を付着させることができない不便があり、また経木の接着部が簡単に剥離する欠陥があって、耐久性を保証することができなく、作業能率が落ち、生産性が劣る不便があった。
【発明の概要】
【発明が解決しようとする課題】
【０００３】
本発明は、天然木材を合成樹脂に結合させて、製品の天然木材のような感じを出せるようにする物品製造方法である。
【課題を解決するための手段】
【０００４】
本発明は、上記不便を解消するため、天然木材から薄い板を作り、木目方向に割れないように安定化させ、表面に微細孔や凹凸溝を形成する結合部を形成した天然木材板を製品化される合成樹脂製物品の表面に配置して、一体に取りつけられる物品を製造することができるようにしたものであって、これを添付図面に基づいて詳細に説明すれば次のようになる。
【発明の効果】
【０００５】
本発明は、天然木材を０．２〜１．０ｍｍ厚さに薄くするので、合成樹脂に結合が容易であり、薄い板材であるので、年輪の部分によって、木目に沿って分割されたり、破損されたりする心配があるので、両面粘着テープ２を一側面に貼りつけて安定化させることで、分割や破損を防ぎ、穿孔作業や合成樹脂結合段階で必要な形状を維持し、変形されることを防止できる利点があり、また木質の安定化に、両面粘着テープを使うことで、薄い木材板を射出金型内に付着したり、コーティング用コンベヤーの上に積層したりする時、備え付けが容易なので作業性を向上させることができ、成型作業後に、両面テープを分離して、作業段階において木材板を保護することができ、木材板に微細孔または凹凸溝を形成することで、合成樹脂が結合する時、木材板内部にまで漫透して結合するため、木材板と合成樹脂の弛緩を防止できる結合が可能であり、別途の接着剤を使う必要がないとの利点がある。
【０００６】
また、本発明は、木材板の結合面に合成樹脂を結合して板を形成するので、２次成型が可能になり加熱圧搾成型機４１を通じて、曲面のある製品の成型が可能な長所があり、このような特徴に基づいて、自動車や飛行機、船舶内の内蔵品をはじめとして、台所用品の取っ手、携帯電話ケースをはじめとして、各種製品のケースはもちろん文具や、化粧品容器小型アクセサリーを天然木目が表面に表れる状態で製造することができるようになり、表面の模様と感触が天然木のような製品を製造することができるようになり、
ケースを成型する時、木材板がケース表面に付着するように成型した後、内面にボルト、ナット、掛かり片のような結合手段が形成されるように内面を加工したり、インサート成型を通じて結合手段を形成したりすることができるので、完壁な物品製作が容易であり、本発明の素材開発により、ＴＶ、ラジオのような電子製品ケースをはじめとして、携帯電話、録音機、ＭＰ３、文房具用品、筆記具、時計、手鏡、化粧品用ケース、乳児用品、アクセサリーをはじめとして、自動車、飛行機、船舶の内蔵品、また台所用品の付属品に至るまで、平面製品、曲面製品に関わらず、広範囲に適用される合成樹脂物品製造に天然木材の触感と美感を感じられるように物品表面に付着させる製品が可能になる。
【図面の簡単な説明】
【０００７】
【図１】本発明の天然木材板例示図である。
【図２】本発明の木材板に両面粘着テープを貼り付けて、安定化させる例示図である。
【図３】本発明の木材板に微細孔を抜いた例示図である。
【図４】本発明の木材板に凹凸溝を形成した例示図である。
【図５】本発明の木材板に合成樹脂溶融物を圧出して結合する装置図である。
【図６】本発明の木材板に合成樹脂溶融物を圧出して結合する装置図である。
【図７】本発明の木材板を射出金型に入れて、合成樹脂溶融液と結合させる例示図である。
【図８】本発明の木材板を射出金型に入れて、合成樹脂溶融液と結合させる例示図である。
【図９】加熱圧搾成型器で成型する例示図である。
【図１０】高周波加熱器を木材板に熱可塑性合成樹脂フィルムを結合させる例示図である。
【図１１】二重射出された製品例示図である。
【発明を実施するための形態】
【０００８】
本発明は、天然木材から薄い板を作り、天然木材板が木目方向に沿って分割されたり破損されたりしないように外側面に脱着型両面粘着テープを貼り付けて、安定化させた後、表面に微細孔や凹凸溝を形成して、結合面を成し、熱可塑性合成樹脂と木材板を結合させて一体化させる結合段階を通じて、天然木材板が得られる合成樹脂物品の表面に配置されるようにすることを特徴とする天然木材板が表面に形成される合成樹脂製物品の製造方法である。
【０００９】
すなわち、本発明は、松、ヤナギ、桐、チーク、バラ木のように、年輪の紋様が美しい木材中で選択した天然木材を厚さ０．２〜１．０ｍｍに薄くして、綿密な組織の年輪の部分１ａと軟かい組織の年輪の部分１ｂが紋様を形成する薄い木材板１を製造し、これを一定規格に切断し、その薄い木材板がその木目に沿って分割されたり破損されたりすることを防止することができるようにシリコン粘着剤で造成された耐熱性脱着両面粘着テープ２を外側面に貼りつけて、薄い木材板が分割されたり破損されたりしないように安定化させる木材板準備段階と、
安定化処理した薄い木材板を針状突起３ａが複数形成された穿孔機３、または突起部３０ａのある圧着ローラ３０に接触させて、木質を軟化させながら微細孔１ｃまたは凹凸溝１ｄを形成して、合成樹脂との結合が良好になる結合面形成段階と、
結合面が形成された木材板の結合面に熱可塑性合成樹脂を結合させて、一体化させる結合段階を通じて、天然木材板が表面に形成される物品を製造し、両面テープを剥がした後に表面を加工することで、所望する製品Ａを完成することになる。
【００１０】
特に、本願発明は木材板を合成樹脂と結合させるため、特別に選択した合成樹脂射出金型４の成型空間４ａの内面に木材板を付着させて、成型空間に熱可塑性合成樹脂溶融液７を射出機４０で射出して、木材板の結合面に合成樹脂溶融液を結合させたり、
上記木材板１を、一定温度を維持する処理部５のコンベヤーベルト５０の上に取り付けて、木材板の結合面に熱可塑性合成樹脂溶融液７を圧出器７０で圧出して付着させ、圧着ローラ５１と加熱機５２で処理して木材板を熱可塑性合成樹脂に結合させたり、
上記木材板１の上に熱可塑性合成樹脂製フィルム７ａを積載し、高周波接着機５'で接着する手段を通じて木材板の結合面に合成樹脂フィルムを結合させたりして、木材板が結合された合成樹脂板を得て、これを加熱圧搾成型機４１の成型部に入れて徐々に加熱加圧することで製造しようとする物品を成型することで、天然木材板が合成樹脂製品の表面に結合されて一体になる物品を製造し、木材板の外側面に取りつけられた粘着テープを剥がして表面を加工し、所望する物品を製造することができる。
【００１１】
一方、本発明の薄い木材板は、年輪組織が軟弱であって、自発的に微細通孔部がたくさん形成されている場合、人工的に微細孔１ｃを突き抜けさせたり、微細凹凸部を形成したりする必要がないので、結合面形成段階を省略することができ、
脱着型耐熱性両面粘着テープ２は、内外粘着層２ａ、２ｂをシリコンやシリコン樹脂組成物を使って製造することができ、ポリエチルシロキサンまたはポリメチルジフェニルシロキサン主剤のシリコン粘着剤が良好であり、シーツ紙はテフロン（商標登録）繊維織物紙が良好であり、これらを利用することで耐熱性が確保される脱着型両面粘着テープ２を得ることができ、外側面に保護油脂２ｃを付着して粘着面を保護できるように構成して使用する。
【００１２】
一方、本発明で示す熱可塑性合成樹脂は、ポリカーボネート、ポリエチレン、ポリプロピレン、ナイロン、ＡＢＳ樹脂などから選択した合成樹脂であり、合成樹脂にトールマリンや抗菌剤、芳香剤を入れたものが含まれる。
【００１３】
また、本発明は、天然木材板が合成樹脂製品Ａの表面側に結合されて一体になった物品を製造した後、これを別途の射出金型内に挿入し、結合手段（突起、ボルト、ナット、掛かり片など）が形成されるように２次的にインサート成型Ｂする段階を実施して、製品の内面にまたは周囲に沿って結合手段Ｂ'が形成されるようにすることが含まれる方法である。
【図１】
2010521338.tif 000003
【図２】
2010521338.tif 000004
【図３】
2010521338.tif 000005
【図４】
2010521338.tif 000006
【図５】
2010521338.tif 000007
【図６】
2010521338.tif 000008
【図７（ａ）】
2010521338.tif 000009
【図７（ｂ）】
2010521338.tif 000010
【図７（ｃ）】
2010521338.tif 000011
【図８（ａ）】
2010521338.tif 000012
【図８（ｂ）】
2010521338.tif 000013
【図９（ａ）】
2010521338.tif 000014
【図９（ｂ）】
2010521338.tif 000015
【図１０】
2010521338.tif 000016
【図１１】
2010521338.tif 000017
【国際調査報告】
2010521338.tif 000018
2010521338.tif 000019